(57)【要約】【課題】  収容カップ内の撥水性を向上させ、収容カップ内を清潔に保つことができる排泄物処理システムおよびオムツを提供すること。【解決手段】  臍下付近を覆う腹当て部１２ａと臀部を覆う背当て部１２ｂとを有し、これら腹当て部１２ａと背当て部１２ｂとの連結部に排泄物を収容する収容カップを有するオムツ１２と、収容カップに接続され、当該収容カップ内の排泄物を吸引するとともに、当該収容カップ内を洗浄する排泄物処理装置とを備えた排泄物処理システムにおいて、収容カップは、背当て部１２ｂに接続される汚物収集トレイ１２０と、腹当て部１２ａに接続されるカップ１２１とを備え、汚物収集トレイ１２０は樹脂で形成し、カップ１２１は伸縮性のある素材で形成するとともに、当該カップの内面に撥水加工を施したことを特徴とする。【選択図】      図３
2006000288.tif 000002
【特許請求の範囲】
【請求項１】
臍下付近を覆う腹当て部と臀部を覆う背当て部とを有し、これら腹当て部と背当て部との連結部に排泄物を収容する収容カップを備えたオムツと、前記収容カップに接続され、当該収容カップ内の排泄物を吸引するとともに、当該収容カップ内を洗浄する排泄物処理装置とを備えた排泄物処理システムにおいて、
前記収容カップは、前記背当て部に接続されるトレイ部と、前記腹当て部に接続されるカップ部とを備え、前記トレイ部は樹脂で形成し、前記カップ部は伸縮性のある素材で形成するとともに、当該カップ部の内面に撥水加工を施したことを特徴とする排泄物処理システム。
【請求項２】
前記カップ部は、前記素材を立体縫合により形成したことを特徴とする請求項１に記載の排泄物処理システム。
【請求項３】
前記カップ部は、前記素材を一体成型により形成したことを特徴とする請求項１に記載の排泄物処理システム。
【請求項４】
前記カップ部は、このカップ部の内面に抗菌加工が施されたことを特徴とする請求項１乃至３のいずれかに記載の排泄物処理システム。
【請求項５】
臍下付近を覆う腹当て部と臀部を覆う背当て部とを有し、これら腹当て部と背当て部との連結部に排泄物を収容する収容カップを備え、この収容カップには、当該収容カップ内の排泄物を吸引するとともに、当該収容カップ内を洗浄する排泄物洗浄装置の接続口を備えるオムツにおいて、
前記収容カップは、前記背当て部に接続されるトレイ部と、前記腹当て部に接続されるカップ部とを備え、前記トレイ部は樹脂で形成し、前記カップ部は伸縮性のある素材で形成するとともに、当該カップ部の内面に撥水加工を施したことを特徴とするオムツ。
【請求項６】
前記カップ部は、前記素材を立体縫合により形成したことを特徴とする請求項５に記載のオムツ。
【請求項７】
前記カップ部は、前記素材を一体成型により形成したことを特徴とする請求項５に記載のオムツ。
【請求項８】
前記カップ部は、このカップ部の内面に抗菌加工が施されたことを特徴とする請求項５乃至７のいずれかに記載のオムツ。
【発明の詳細な説明】
【技術分野】
【０００１】
この発明は、病院等における歩行不能な病人または寝たきりの老人に好適な排泄物処理システムおよびオムツに関する。
【背景技術】
【０００２】
従来、通常の体位では排泄をすることができない病人や寝たきりの老人等、自分で自分の排泄物を処理することができない人には、オムツを使用して排泄物を処理したりしていた。しかしながら、オムツを用いる場合には、付添い人などの人的労力を必要とし、その上、オムツの交換時などに臭いを発して周囲に迷惑をかけたり、また、使用者が羞恥心を覚えたりするものである。
【０００３】
そこで最近では、臍下付近を覆う腹当て部と臀部を覆う背当て部とを有し、これら腹当て部と背当て部との連結部に排泄物を収容する収容カップを有するオムツと、この収容カップに接続され、当該収容カップ内の排泄物を吸引するとともに、当該収容カップ内を洗浄する排泄物処理装置とを備えた排泄物処理システムが提案されている（例えば、特許文献１参照）。この種の排泄物処理システムでは、収容カップ内の排泄物の吸引及び当該収容カップ内の洗浄を容易に、かつ、確実に行なうために、オムツの収容カップは、プラスチックなど硬質の樹脂によって形成することが必要であった。
【特許文献１】特開２００２−１５３４９８号公報（第１図）
【発明の開示】
【発明が解決しようとする課題】
【０００４】
しかし、これまでのオムツは収容カップ内の排泄物をきれいに吸引しきれないこともあり、清潔面での懸念があった。
【０００５】
本発明は、上述した事情に鑑みてなされたものであり、収容カップ内の撥水性を向上させ、収容カップ内を清潔に保つことができる排泄物処理システムおよびオムツを提供することを目的とする。
【課題を解決するための手段】
【０００６】
上記課題を解決するため、本発明は、臍下付近を覆う腹当て部と臀部を覆う背当て部とを有し、これら腹当て部と背当て部との連結部に排泄物を収容する収容カップを備えたオムツと、収容カップに接続され、当該収容カップ内の排泄物を吸引するとともに、当該収容カップ内を洗浄する排泄物処理装置とを備えた排泄物処理システムにおいて、収容カップは、背当て部に接続されるトレイ部と、腹当て部に接続されるカップ部とを備え、トレイ部は樹脂で形成し、カップ部は伸縮性のある素材で形成するとともに、当該カップ部の内面に撥水加工を施したことを特徴とする。
【０００７】
上記排泄物処理システムにおいて、カップ部は、素材を立体縫合により形成するものであってもよい。また、上記排泄物処理システムにおいて、カップ部は、素材を一体成型により形成するものであってもよい。また、上記排泄物処理システムにおいて、カップ部は、このカップ部の内面に抗菌加工が施されたものであってもよい。
【０００８】
本発明は、臍下付近を覆う腹当て部と臀部を覆う背当て部とを有し、これら腹当て部と背当て部との連結部に排泄物を収容する収容カップを備え、この収容カップには、当該収容カップ内の排泄物を吸引するとともに、当該収容カップ内を洗浄する排泄物洗浄装置の接続口を備えるオムツにおいて、収容カップは、背当て部に接続されるトレイ部と、腹当て部に接続されるカップ部とを備え、トレイ部は樹脂で形成し、カップ部は伸縮性のある素材で形成するとともに、当該カップ部の内面に撥水加工を施したことを特徴とする。
【０００９】
上記オムツにおいて、カップ部は、素材を立体縫合により形成するものであってもよい。また、上記オムツにおいて、カップ部は、素材を一体成型により形成するものであってもよい。上記オムツにおいて、カップ部は、このカップ部の内面に抗菌加工が施されたものであってもよい。
【発明の効果】
【００１０】
本発明によれば、収容カップ内に排泄物等が残留せず、収容カップ内を清潔に保つことができる。
【発明を実施するための最良の形態】
【００１１】
以下、図面を参照して本発明の実施の形態について説明する。図１は、本発明の実施形態にかかる排泄物処理システム１の構成を示す図である。この図１に示すように、排泄物処理システム１は、使用者３の腰臀部に装着されるオムツ１２と、オムツ１２内部の排泄物または汚水を吸引し蓄積する排泄物処理装置１４とを備える。これらオムツ１２と排泄物処理装置１４とは、汚物吸引ホース１６、洗浄水ホース１７および送風ホース１８により接続され、排泄物処理装置１４は、洗浄水ホース１７や送風ホース１８を介して洗浄水や空気をオムツ１２内に供給し、汚物吸引ホース１６を介してオムツ１２内の汚物を吸引する。なお、符号１０は、使用者３が横たわるマットである。
【００１２】
図２は、排泄物処理装置１４の外観を示す斜視図である。また、図３は、オムツ１２の外観構成を示す斜視図である。また、図４は、オムツ１２の展開図である。
【００１３】
排泄物処理装置１４は、排泄物処理本体１４ａを備え、この排泄物処理本体１４ａは、筐体１５の収納部１５ａに収納されている。この筐体１５の収納部１５ａの天部には、排泄物処理本体１４ａの一部としての排泄タンク２００および除臭・殺菌器２０７を露出させたり、この収納部１５ａを閉塞する開閉自在の蓋体１５ｂが設けられている。
【００１４】
オムツ１２は、図３に示すように、使用者３に装着された状態では、股下が短く膝上丈の、いわゆるショーツ（ショートパンツ）を摸した外観をなしており、その股間に位置する箇所には、排泄物または汚水を収容する収容カップ１１０が設けられている。この収容カップ１１０は、汚物収集トレイ１２０（トレイ部）及びカップ１２１（カップ部）を備える。
【００１５】
汚物収集トレイ１２０には、図４に示すように、汚物吸引ホース接続口１２２、洗浄水ホース接続口１２３、及び送風ホース接続口１２４を有する接続部１２５が設けられている。汚物吸引ホース接続口１２２には、汚物吸引ホース１６が取り付けられ、オムツ１２の収容カップ１１０内の排泄物および汚水等の汚物が、排泄物処理装置１４の吸引機構（後述）により、汚物吸引ホース接続口１２２から汚物吸引ホース１６を通して排泄物処理装置１４に吸引され、図２に示す排泄物処理装置１４の排泄タンク２００に貯留される。
【００１６】
洗浄水ホース接続口１２３には、洗浄水ホース１７が取り付けられ、排泄物処理装置１４から洗浄水が、洗浄水ホース１７を介して収容カップ１１０内に供給される。また、送風ホース接続口１２４には、送風ホース１８が取り付けられ、排泄物処理装置１４から空気あるいは空気とともに洗浄水が、送風ホース１８を介して収容カップ１１０内に供給される。
【００１７】
各ホース１６、１７、１８の一端は、図３に示すように、汚物収集トレイ１２０の接続部１２５に着脱自在に接続するための接続部材１９に固定されている。この接続部材１９を汚物収集トレイ１２０の接続部１２５に取り付けた際には、汚物吸引ホース１６の一端が、汚物吸引ホース接続口１２２に接続され、洗浄水ホース１７の一端が、洗浄水ホース接続口１２３に接続され、送風ホース１８の一端が、送風ホース接続口１２４に接続される。
【００１８】
オムツ１２は、図４に示すように、カップ１２１に接続され、使用者３の臍下付近を覆う腹当て部１２ａと、汚物収集トレイ１２０に接続され、使用者３の臀部を覆う背当て部１２ｂとを有している。すなわち、オムツ１２は、腹当て部１２ａを備えたカップ１２１と、背当て部１２ｂを備えた汚物収集トレイ１２０とを上下に重ね合わせて接続した形状と略等しい形状を有している。
【００１９】
オムツ１２の腹当て部１２ａ及び背当て部１２ｂは、通気性が良く、なおかつ、水分を通さない素材（例えばＰＴＦＥ：ポリテトラフロロエチレン、サイトス（登録商標））から形成されており、使用者３が長時間装着し続けても、発汗によるムレが防止されるようになっている。
【００２０】
また、背当て部１２ｂの左側部１２ｂＬと右側部１２ｂＲには、止着部１２６が夫々取り付けられている。これら止着部１２６の上面（図面上面）には、夫々ベルクロワファスナー（いわゆる、マジックテープ（登録商標））が貼着されており、止着部１２６が腹当て部１２ａの表面に止着する構成となっている。
【００２１】
使用者３にオムツ１２を装着する場合には、カップ１２１および汚物収集トレイ１２０を股間にあてがう一方、従来のオシメをはかすように、背当て部１２ｂを臀部に、腹当て部１２ａを臍下付近にあてがい、腰および大腿部に巻き付けるべく背当て部１２ｂの両側部１２ｂＬ、１２ｂＲに設けられた止着部１２６を腹当て部１２ａの上面まで運んで貼付固定する。
【００２２】
図５はオムツ１２の側面図であり、また、図６はその断面図である。これら図５および図６に示すように、オムツ１２は、湾曲したカップ１２１と、背面（使用者３の臀部に対向する面）を略平面とし、底面の一端に、各ホース接続口１２２、１２３、１２４が一体に成形された汚物収集トレイ１２０とを上下に重ねた構成となっている。
【００２３】
また、図６に示すように、この汚物収集トレイ１２０の背面の一端には、洗浄水ホース接続口１２３を介して供給された洗浄水を噴射するため、先端に小孔を有する洗浄口１３０ａ、１３０ｂを備えると共に、背面の他端には、汚物吸引ホース接続口１２２に向けて設けられ、且つ、洗浄口１３０ａ、１３０ｂに夫々設けられた小孔より大きな開口面積を有する洗浄口１３４ａを備えており、各洗浄口１３０ａ、１３０ｂには、洗浄水ホース接続口１２３を介して排泄物処理装置１４から洗浄水が供給され、洗浄口１３４ａには、洗浄水ホース接続口１２３よりも太い径の送風ホース接続口１２４を介して排泄物処理装置１４から空気と洗浄水とが混合されて供給される構成となっている。
【００２４】
洗浄口１３４ａは、汚物を汚物吸引ホース接続口１２２が設けられている方へ押し流すためのものであり、汚物収集トレイ１２０の背面（使用者３の臀部に対向する面）に設けられ、その噴射口の方向が汚物吸引ホース接続口１２２を向くように設定されている。洗浄口１３０ａは、使用者３の肛門を洗浄するためのものであり、汚物吸引ホース接続口１２２付近に設けられ、その噴射口の方向は、洗浄水が使用者３の肛門に向けて噴射されるように設定されている。また、洗浄口１３０ｂは、女性使用者３の陰部を洗浄するためのものであり、使用者３の下腹部に相当する位置付近に設けられ、その噴射口の方向は、洗浄水が女性使用者３の陰部に向けて噴射されるように設定されている。なお、洗浄水は、使用者３の不快感を招かぬよう適度な温度の温水であることが望ましい。このように、汚物収集トレイ１２０には、女性の陰部（特に、尿内、ちつ等）を洗浄するための洗浄口１３０ｂが設けられているため、排尿後も陰部を清潔に保ち、不快感を覚えることのないようになっている。なお、使用者３が男性である場合を考慮して、洗浄水ホース１７と洗浄口１３０ｂとの間に開閉弁などを設け、この洗浄口１３０ｂからの洗浄水噴射を選択的に行なう構成としても良い。
【００２５】
さらに、汚物収集トレイ１２０の背面には、複数個の水分検知センサ２１７が設けられており、使用者３から排泄物が排泄されたか否かを検出するものとなっている。この水分検知センサ２１７で検出されたことを示す信号は、信号配線２１９（図２）により、後述する排泄物処理装置１４の制御部２１６（図７）へ伝達される。
【００２６】
このような構成の下、使用者３が排泄した後、排泄物処理装置１４から洗浄口１３４ａに洗浄水と空気とが混合されて供給される。これにより、排泄物が汚物吸引ホース接続口１２２の方へ流される。次いで、排泄物処理装置１４は、洗浄口１３０ａ、１３０ｂに洗浄水が供給され、使用者３の肛門および陰部の洗浄が行われる。なお、使用者３が男性である場合など、陰部の洗浄が必要ない場合には、洗浄口１３０ｂから洗浄水を噴出しない構成としても良い。
【００２７】
この構成において、排泄物は汚物吸引ホース接続口１２２を介して洗浄水や尿などと共に、排泄物処理装置１４により汚物吸引ホース１６を経由して吸引排出される。この汚物吸引ホース１６は、排泄物処理装置１４が汚物を空気の圧力差で吸引しても管径が変化しないよう剛性をもった屈曲管で形成されている。
【００２８】
次いで、排泄物処理装置１４について説明する。図７は、排泄物処理装置１４の構成を示す模式図である。この図７において、排泄タンク２００は、排泄物および汚物（洗浄水など）を貯留するものであり、上述のように、汚物吸引ホース１６を介してオムツ１２の汚物吸引ホース接続口１２２に接続されている。排泄タンク２００の内部には、このタンク内に貯留された汚物および排泄物の液面位置を検出する液面センサ２０１が設けられており、排泄タンク２００に貯留されている排泄物および汚物の量が検出される。
【００２９】
２０５は、送風ブロワである。また、排泄タンク２００の上部の出口には、液体を除去し気体のみを通過させるセパレータ２０２が設けられ、このセパレータ２０２（すなわち、排泄タンク２００の出口）は、空気管１４０、脱臭・除菌器２０７、空気管１４１を経て送風ブロワ２０５の吸込口に接続されている。一方、送風ブロワ２０５の吐出口には、空気管１４３、分岐管１４４、空気管１４５が順次接続され、空気管１４５が、送風ホースを介して送風ホース接続口１２４（図６）に接続される。これによって、洗浄口１３４ａを通ってオムツ１２内に空気が供給される。空気管１４３と空気管１４５との間に介挿されている分岐管１４４の分岐先には、空気管１５０、二方弁２１８、空気管１５１、分岐管１７０が順次接続されている。
【００３０】
２１０は、洗浄水を貯留する洗浄水タンクである。この、洗浄水タンク２１０の底部には、貯留されている洗浄水を暖める温水ヒータ２１１が設けられ、また、洗浄水タンク２１０の内部には、貯留洗浄水の水温を検出するサーミスタ２１２と、貯留洗浄水の量を検出するフロートセンサ（水位計）２１３とが設けられており、貯留洗浄水の量と、その水温とを監視可能になっている。洗浄水タンク２１０の上部には、図示せぬ注入口が設けられており、この洗浄水タンク２１０に洗浄水を給水する場合には、その注入口から注入する。また、洗浄水タンク２１０の下部には、水抜コック（活栓）２１４を備える水管１４７が接続されており、洗浄水タンク２１０から洗浄水を抜く場合には、水抜コック２１４を開き、水管１４７から洗浄水を外部に流出させる。さらに、洗浄水タンク２１０に設けられた水出口には、水管１４８、ウォータポンプ２１５、水管１４９、分岐管１７０、水管１５２が順次接続される。この水管１５２が、洗浄水ホース１７を介して洗浄水ホース接続口１２３（図６）に接続される。これにより洗浄口１３０ａ、１３０ｂを通じてオムツ１２内に洗浄水が供給される。
【００３１】
排泄物処理装置１４は、当該排泄物処理装置１４全体を制御する制御部２１６を備えており、この制御部２１６によって、送風ブロワ２０５、温水ヒータ２１１、ウォータポンプ２１５、二方弁２１８等が制御される。
【００３２】
次に、排泄物処理装置１４の動作について図６及び図７を参照しながら説明する。なお、二方弁２１８は初期状態において閉鎖されている。
【００３３】
この動作は吸引工程、洗浄工程、水抜工程の３工程に大別される。
【００３４】
まず、吸引工程は、オムツ１２から排泄物などを吸引する動作であり、制御部２１６は、二方弁２１８を開き、送風ブロワ２０５を動作させる。これにより、排泄タンク２００内は、送風ブロワ２０５によって空気が吸引されて負圧に保たれ、汚物収集トレイ１２０に設けられた汚物吸引ホース接続口１２２より汚物吸引ホース１６、排泄タンク２００、送風ブロワ２０５に向かって空気が流れる一方、送風ブロワ２０５の吐出口から空気管１４３、空気管１４５、送風ホース１８、洗浄口１３４ａを通って、オムツ１２内に空気が循環する。
【００３５】
このとき、制御部２１６がウォータポンプ２１５を運転させることにより、洗浄水が洗浄水タンク２１０から水管１４８、水管１４９、分岐管１７０、二方弁２１８を経て空気管１４５へと流入する。これは、上述のように、洗浄口１３４ａの開口面積が、洗浄口１３０ａ、１３０ｂに夫々設けられた小孔より大きな面積を有するため、圧損が低いからである。そして、この空気管１４５内で上記洗浄水と空気とが混合された状態で、送風ホース１８を介してオムツ１２に送水され、洗浄口１３４ａから噴射されることで汚物の流動性を高めることにより汚物の吸引を行なうものである。
【００３６】
さらに詳述すると、送風ブロワ２０５が運転すると、排泄タンク２００が負圧に保たれ、セパレータ２０２により、排泄タンク２００内の空気だけが空気管１４０に導かれ、除臭・殺菌器２０７によって空気に含まれる臭気の除去と、殺菌とが行われ、送風ブロワ２０５の吸込口に流入する。また、送風ブロワ２０５の吐出口から吐出された空気は、上記のように臭気と除菌が行われてオムツ１２内に導かれ、オムツ１２内が衛生に保たれる。
【００３７】
次に、洗浄工程は、使用者３の各部位を洗浄する動作であり、先ず、制御部２１６は、送風ブロワ２０５を動作させる。これにより、排泄タンク２００内は、送風ブロワ２０５によって空気が吸引されて負圧に保たれ、汚物収集トレイ１２０に設けられた汚物吸引ホース接続口１２２より汚物吸引ホース１６、排泄タンク２００、送風ブロワ２０５に向かって空気が流れる一方、送風ブロワ２０５の吐出口から空気管１４３、空気管１４５、送風ホース１８、洗浄口１３４ａを通って、オムツ１２内に空気が循環する。
【００３８】
このとき、ウォータポンプ２１５を運転させることにより、洗浄水タンク２１０から洗浄水が水管１４８、水管１４９、分岐管１７０、洗浄水ホース１７を経てオムツ１２の洗浄口１３０ａ、１３０ｂから噴射される。つまり、この洗浄工程にあっては、オムツ１２内から洗浄水を吸引するために、上述した吸引工程における空気の循環と同様の空気の循環も合わせて行われる。
【００３９】
水抜工程は、洗浄水ホース１７内に溜まった洗浄水を排水する動作であり、制御部２１６は、洗浄工程終了の後（すなわち、ウォータポンプ２１５の停止後）、二方弁２１８を開き、送風ブロワ２０５を運転させる。これによって、送風ブロワ２０５から吐出される空気の一部が、分岐管１４４、空気管１５０、二方弁２１８、空気管１５１、分岐管１７０、水管１５２を経て洗浄水ホース１７に導かれるため、洗浄水ホース１７内に溜まった洗浄水を排水できる。これにより、次回洗浄開始時に水管内に溜まった低温の水を少なくでき、使用者３へ噴出する低温の洗浄水を少なくできる。
【００４０】
ところで、オムツ１２の収容カップ１１０のカップ１２１は、図３乃至図５に示すように、略椀型に湾曲した形状に形成されている。このカップ１２１は、伸縮性のある素材（例えば、スーパーコンポジットスキン）を用いて、この素材を立体縫合することにより形成されている。本構成では、図８に示すように、伸縮性のある素材１６０を、基部１６１と、この基部１６１から延出した複数の片１６２〜１６５とを備える形状に裁断し、隣接する片同士をそれぞれ縫合することによってカップ１２１を形成する。具体的には、第１の片１６２の曲線部１６２ａと、第２の片１６３の一方の曲線部１６３ａとを縫合し、この第２の片１６３の他方の曲線部１６３ｂと、第３の片１６４の一方の曲線部１６４ａとを縫合し、さらに、この第３の片１６４の他方の曲線部１６４ｂと、第４の片１６５の曲線部１６５ａとを縫合する。これによれば、カップ１２１は、図９に示すように、第１の片１６２と第２の片１６３とを縫合した第１縫合部１６６、第２の片１６３と第３の片１６４とを縫合した第２縫合部１６７及び第３の片１６４と第４の片１６５とを縫合した第３縫合部１６８を備え、当該カップ１２１は、図３に示すように、略椀型に湾曲して形成される。
【００４１】
ただし、伸縮性のある素材１６０を縫合してカップ１２１を形成した場合には、上記第１〜第３縫合部１６６〜１６８から汚水などが漏れ出てくるおそれがある。そのため、これを防止するために、カップ１２１の内面には撥水加工処理が施されている。撥水加工処理は、例えば、上記伸縮素材１６０にチタンメタル特殊表面加工（メセル構造）を施すことによって行なわれる。このチタンメタル特殊表面加工は、撥水効果とともに抗菌効果とを有するため、本構成では、カップ１２１の内面には撥水加工処理とともに抗菌加工処理が施されている。これによれば、カップ１２１の縫合部１６６〜１６８からの漏れが解消するとともに、カップ１２１の内面への汚水などの付着が防止されるため、カップ１２１内では、バクテリアなどの細菌の増殖が防止され（抗菌効果）、当該カップ１２１内を衛生的に保つことができる。さらに、この撥水加工処理は、保温効果が高く、伸縮性に優れるという特性を有する。
【００４２】
汚物収集トレイ１２０は、ある程度の硬性を有したプラスチックなど樹脂によって形成されている。このため、汚物収集トレイ１２０に、汚物吸引ホース接続口１２２、洗浄水ホース接続口１２３、及び送風ホース接続口１２４を有する接続部１２５を容易に形成することができ、この接続部１２５と、各ホース１６、１７、１８が固定される接続部材１９との接続を確実に行なうことができる。さらに、汚物収集トレイ１２０内に収容された排泄物等の吸引及び当該汚物収集トレイ１２０内の洗浄を容易に、かつ、確実に実行することができる。
【００４３】
この汚物収集トレイ１２０とカップ１２１とは接着等によって接続されている。また、汚物収集トレイ１２０と背当て部１２ｂとは接着等によって接続され、カップ１２１と腹当て部１２ａとは縫合等によって接続されることによってオムツ１２が形成されている。
【００４４】
また、使用者が横たわるマット１０には、図１０に示すように、汚物収集トレイ１２０を収容するための収容貫通穴１０２が形成されている。使用者がオムツ１２を装着してマット１０に横たわる場合、当該収容貫通穴１０２にオムツ１２の汚物収集トレイ１２０が収容されることにより、使用者の体重が直接、汚物収集トレイ１２０にかかることが防止されるため、使用者が寝心地の悪さを感じることはない。
【００４５】
このように、オムツ１２の収容カップ１１０は、汚物収集トレイ１２０とカップ１２１とを備え、このカップ１２１を伸縮性のある素材で形成することにより、従来のものに比べて、オムツ１２を装着した際の局部に対するカップ１２１の締め付け感が軽減されるため、長時間に渡りオムツ１２及び排泄物収集システム１を心地よく使用することができる。
【００４６】
また、オムツ１２は、図１１に示すように、このオムツ１２内に漏れ防止部材１２３を備える。この漏れ防止部材１２３は、カップ１２１及び汚物収集トレイ１２０の周囲を縁取るように設けられており、使用者がオムツ１２を装着した際に、使用者の身体と漏れ防止部材１２３とが密着することにより、カップ１２１及び汚物収集トレイ１２０内の排泄物及び汚水がオムツ１２外に漏れることを防止している。この漏れ防止部材１２３は、ある程度の弾力性と伸縮性を備え、使用者の身体にフィットするとともに、使用者の床ずれを軽減するようになっている。
【００４７】
図１２は、図１１のオムツを矢印Ａ―Ａ´で切断した断面を示した部分断面図である。この図１１に示すように、漏れ防止部材１２３は、外側を覆う外面材１２３ａと、この外面材１２３ａにて包含されるクッション材１２３ｂとを備える。外面材１２３ａは、ウェットスーツなどに用いられる伸縮性のある発泡合成樹脂（例えば、発泡ネオプレーン系）によって形成され、その表面には防水処理加工が施されている。クッション材１２３ｂは、弾力性のある素材（例えば、低反発ウレタンフォーム）によって形成されている。本構成では、クッション材１２３ｂを２枚の外面材１２３ａで挟みこみ、この２枚の外面材１２３ａの両縁部１７０、１７１を縫合または接着によって固定することにより、漏れ防止部材１２３を形成している。このように形成された漏れ防止部材１２３は、カップ１２１及び汚物収集トレイ１２０の周囲に配置され、この配置された位置で、腹当て部１２ａ、背当て部１２ｂと縫合または接着によって固定される。
【００４８】
漏れ防止部材１２３に使用者３の体重がかかると、外面材１２３ａ及びクッション材１２３ｂはともに潰れるが、その後、使用者３の身体に合わせて徐々に外面材１２３ａ及びクッション材１２３ｂが膨らみ、漏れ防止部材１２３は、使用者３の身体にフィットした形状となる。すなわち、使用者３が動作した場合であっても、その動作に応じて、漏れ防止部材１２３は使用者３の身体にフィットするように変形することにより、この漏れ防止部材１２３と使用者３の身体とが密着するため、汚物収集トレイ１２０内部の排泄物または汚水が、当該漏れ防止部材と身体との隙間からオムツ１２の外部に漏れることが防止できる。さらに、この漏れ防止部材１２３は、弾力性を備えたクッション材１２３ｂを備えているため、使用者３の身体を必要以上に押圧することはなく、使用者３がオムツ１２を装着した際の締め付け感を軽減することができる。従って、使用者３の床ずれを防止することができる。
【００４９】
本実施形態によれば、オムツ１２の収容カップ１１０は、汚物収集トレイ１２０とカップ１２１とを備え、汚物収集トレイ１２０は樹脂で形成され、カップ１２１は伸縮性のある軟質素材で形成されているため、汚物収集トレイ１２０内の排泄物の吸引および当該汚物収集トレイ１２０内の洗浄等を容易に、かつ、確実に行なうとともに、オムツ１２を装着した場合であっても、当該カップ１２１による局部への締め付け感が軽減される。また、カップ１２１の内面に撥水加工及び抗菌加工を施しているため、カップ１２１の縫合部１６６〜１６８からの漏れが解消するとともに、カップ１２１の内面に汚水の付着を防止することにより、当該カップ１２１の内面での細菌の増殖が防止され、当該内面を衛生的に保つことができる。従って、排泄物等が残留せず、汚物収集トレイ１２０及びカップ１２１（収容カップ１１０）内を清潔に保つことができ、使用者３は長時間心地よくオムツ１２及び排泄物処理システム１を使用することができる。
【００５０】
また、本実施形態によれば、オムツ１２のカップ１２１及び汚物収集トレイ１２０の周囲に、漏れ防止部材１２３を配置し、この漏れ防止部材１２３は、弾力性を有する低反発ウレタンフォーム１２３ｂを伸縮性を有する素材からなる発泡合成樹脂１２３ａで包むことによって形成されているため、発泡合成樹脂１２３ａが使用者の動きに合わせて伸縮する一方、低反発ウレタンフォーム１２３ｂが、使用者３の身体にフィットするように変形することにより、漏れ防止部材１２３と使用者３の身体とが密着するため、汚物収集トレイ１２０内部の排泄物または汚水が、当該漏れ防止部材１２３と使用者の身体との隙間からオムツ１２の外部に漏れることが防止できる。さらに、弾力性を有する低反発ウレタンフォーム１２３ｂは、使用者３の身体を必要以上に押圧することはなく、使用者３がオムツ１２を装着した際の締め付け感を軽減することができる。従って、使用者３の床ずれを防止することができ、使用者３は長時間心地よくオムツ１２及び排泄物処理システム１を使用することができる。
【００５１】
また、この漏れ防止部材１２３は、腹当て部１２ａ及び背当て部１２ｂに、縫合または接着によって固定されているため、使用者がオムツ１２を装着している際に、漏れ防止部材１２３が、腹当て部１２ａ及び背当て部１２ｂから外れることが防止され、汚物収集トレイ１２０内の排泄物や汚水の漏れが防止される。
【００５２】
なお、上述した実施形態は、あくまでも本発明の一態様にすぎず、本発明は、これに限定されるものではなく、本発明の範囲内で任意に変形可能であることは勿論である。例えば、本実施形態では、漏れ防止部材１２３のクッション材１２３ｂとして、低反発ウレタン素材を用いているが、これに限らず、柔軟性を有するゴム材（ドライポリマ）、ゲル状の蓄冷材（高分子吸水ポリマ）であっても良い。さらに、クッション材として空気（窒素）を用いて、必要に応じて、外面材内に高圧空気を導入して、漏れ防止部材１２３を膨らませる構成としても良い。
【００５３】
また、本実施形態では、オムツ１２のカップ１２は、伸縮性のある軟質素材を略椀型に縫合することにより形成しているが、これに限らず、当該軟質素材を一体成型することにより形成しても良い。これによれば、縫合して形成しているものに比べて、作業工程が減じるため製造コストが低下するとともに、縫合部から漏れる蓋然性が無くなるため、カップの品質向上を図ることができる。また、本実施形態では、カップを形成する縫合前の形状として、一例を示したが、この形状に限らず、略椀型のカップが縫合によって形成されるものであれば、他の形状によるものであっても良い。
【図面の簡単な説明】
【００５４】
【図１】本発明の実施形態にかかる排泄物処理システムの構成を示す図である。
【図２】排泄物処理装置の外観を示す斜視図である。
【図３】オムツの外観構成を示す斜視図である。
【図４】オムツの構成を示す斜視図である。
【図５】オムツの側面図である。
【図６】オムツの側断面図である。
【図７】排泄物処理装置の構成を示す模式図である。
【図８】カップの展開図である。
【図９】カップの縫合を説明するための図である。
【図１０】マットに設けられた収容貫通穴を説明するための図である。
【図１１】オムツ内部の漏れ防止部材の配置を示す図である。
【図１２】図１１のＡ−Ａ´断面を示す部分断面図である。
【符号の説明】
【００５５】
１  排泄物処理システム
１０  マット
１２  オムツ
１２ａ  腹当て部
１２ｂ  背当て部
１４  排泄物処理装置
１１０  収容カップ
１２０  汚物収集トレイ（トレイ部）
１２１  カップ（カップ部）
１２３  漏れ防止部材
１２３ａ  外面材（発泡合成樹脂）
１２３ｂ  クッション材（低反発ウレタンフォーム）
【図１】
2006000288.tif 000003
【図２】
2006000288.tif 000004
【図３】
2006000288.tif 000005
【図４】
2006000288.tif 000006
【図５】
2006000288.tif 000007
【図６】
2006000288.tif 000008
【図７】
2006000288.tif 000009
【図８】
2006000288.tif 000010
【図９】
2006000288.tif 000011
【図１０】
2006000288.tif 000012
【図１１】
2006000288.tif 000013
【図１２】
2006000288.tif 000014